(57)【要約】【課題】  携帯電話機に搭載されたカメラを用いて撮像した画像データを接続されたＰＣに送信する際、着信があり通話を開始すると撮像できなくなり、ＰＣでその状態を把握できない。【解決手段】  記憶部１０１は、着信があった旨を示す第１画像データと通話中である旨を示す第２画像データとを記憶している。カメラ１０２で撮像した画像は、ＪＰＥＧ圧縮部１０３で圧縮符号化されて画像データ記憶部１０４にフレーム単位で記憶される。制御部１１２は、所定の送信レートとなるよう画像データを読み出し、Ｉ／Ｆ１１３を介してホストＰＣ１２０に送信する。制御部１１２は、ベースバンド信号処理部１０８から着信を通知されると、カメラ部１０２に撮像を中断させ、記憶部１０１から第１画像データを読み出し、ホストＰＣ１２０に送信する。操作部１０５から通話開始の通知を受けると、記憶部１０１から第２画像データを読み出し、同様にホストＰＣ１２０に送信する。【選択図】  図１
2005328285.tif 000002
【特許請求の範囲】
【請求項１】
コンピュータと接続された携帯電話機であって、
被写体を撮像するカメラと、
撮像された画像データを圧縮する画像圧縮手段と、
圧縮された画像データを所定の送信レートで前記コンピュータに送信する送信手段と、
予め用意された撮像の中断を示す代替画像データを記憶している記憶手段と、
撮像を中断及び再開するか否かを判定する判定手段と、
中断があると判定されたとき、前記カメラでの撮像を中断させ、前記画像データに替えて代替画像データを、再開する理由があると判定されたとき、前記カメラでの撮像を再開させ、代替画像データに替えて画像データをそれぞれ送信手段に送信させる制御手段とを備えることを特徴とする携帯電話機。
【請求項２】
前記代替画像データは、着信中を示す第１画像データと通話中を示す第２画像データとを含み、
前記判定手段は、着信又は通話開始又は通話終了のいずれがあったかを判定し、
前記制御手段は、着信があったと判定されたとき、前記カメラでの撮像を中断させ、前記画像データに替えて第１画像データを、通話開始と判定されたとき、前記第１画像データに替えて第２画像データを、通話終了と判定されたとき、前記カメラでの撮像を再開させ、第２画像データに替えて画像データをそれぞれ送信手段に送信させることを特徴とする請求項１記載の携帯電話機。
【請求項３】
前記所定の送信レートは、前記コンピュータから通知されることを特徴とする請求項１記載の携帯電話機。
【請求項４】
前記コンピュータは、前記携帯電話機から受信した画像データ、第１画像データ及び第２画像データを他のコンピュータにネットワークを介して送信し、
他のコンピュータは、受信した画像データ、第１画像データ及び第２画像データを復号して表示することを特徴とする請求項2記載の携帯電話機。
【請求項５】
前記第１画像データと第２画像データとは圧縮され、そのデータ量は、通信機能を損なわない程少ないことを特徴とする請求項２記載の携帯電話機。
【請求項６】
前記第１画像データには、着信中であるとのメッセージを含み、前記第２画像データには、通話中であるとのメッセージを含むことを特徴とする請求項５記載の携帯電話機。
【請求項７】
前記第１画像データ及び第２画像データは、それぞれ複数の第１画像データ及び第２画像データを含み、携帯電話機の利用者によってそれぞれ一つの第１画像データ及び第２画像データが選択されることを特徴とする請求項６記載の携帯電話機。
【発明の詳細な説明】
【技術分野】
【０００１】
本発明は、カメラを搭載した携帯電話機に関し、特にカメラで撮像した画像を接続したパーソナルコンピュータ（以下「ＰＣ」という。）を経由して他のＰＣに送信する技術に関する。
【背景技術】
【０００２】
図７に示すように、ネットワークサーバ７０１に接続されたホストＰＣ７０２にカメラ７０３を接続し、カメラ７０３で撮像した画像を他のＰＣ７０４に転送することが実用化されている。このカメラ７０３とホストＰＣ７０２との接続には、例えばＵＳＢ（Ｕｎｉｖｅｒｓａｌ  Ｓｅｒｉａｌ  Ｂｕｓ）規格が適用されている。画像の転送は、ネットワークの帯域を有効に利用するため、ＪＰＥＧ（Ｊｏｉｎｔ  Ｐｈｏｔｏｇｒａｐｈｉｃ  Ｃｏｄｉｎｇ  Ｅｘｐｅｒｔｓ  Ｇｒｏｕｐ）規格によって、画像データを圧縮符号化して送信される。このようにして、カメラ７０３で撮像された画像が他のＰＣ７０４の画面に表示される。例えば、特許文献１にＰＣ間の画像転送技術が開示されている。
【０００３】
一方、最近の携帯電話機は、カメラを搭載されたものも多数あり、ＰＣとの接続もＵＳＢケーブル等を用いて可能なものが登場している。この携帯電話機のカメラを利用して、上述したようなネットワークを介したＰＣ間で撮像された画像データの転送をすることができる。
【特許文献１】特開２００３−１３４４８６
【発明の開示】
【発明が解決しようとする課題】
【０００４】
ところが、携帯電話機のカメラを用いて撮像中に電話の着信があったときには、撮像を継続すると、通話をすることができない。
しかし、携帯電話機では、通話機能を優先する必要がある。利用者が携帯電話機で通話を開始したとき、撮像が中断され、接続されたＰＣにカメラで撮像した画像データを送信できなくなるので、他のＰＣではＰＣからの画像データの転送が途絶え、画像を表示できなくなり、他のＰＣの利用者は、何かトラブルが発生したのではないかと心配する。
【０００５】
また、撮像中の画像を他のＰＣに送信したくないことが発生することもある。
そこで、本発明は、撮像を中断すべき理由が発生したとき又は、携帯電話機に着信があったときに、通話を開始したときでも、接続された他のＰＣとネットワークを介して接続されたＰＣとの画面に携帯電話機の利用状態が分かるよう画像を送信する携帯電話機を提供することを目的とする。
【課題を解決するための手段】
【０００６】
上記課題を解決するため、本発明は、コンピュータと接続された携帯電話機であって、被写体を撮像するカメラと、撮像された画像データを圧縮する画像圧縮手段と、圧縮された画像データを所定の送信レートで前記コンピュータに送信する送信手段と、予め用意された撮像の中断を示す代替画像データを記憶している記憶手段と、撮像を中断及び再開するか否かを判定する判定手段と、中断があると判定されたとき、前記カメラでの撮像を中断させ、前記画像データに替えて代替画像データを、再開する理由があると判定されたとき、前記カメラでの撮像を再開させ、代替画像データに替えて画像データをそれぞれ送信手段に送信させる制御手段とを備えることとしている。
【発明の効果】
【０００７】
上述のような構成によって、撮像を中断した場合にも、撮像した画像データに替えて、代替画像データを所定レートで送信できるので、コンピュータに画像が表示されなくなることが防止される。
また、前記代替画像データは、着信中を示す第１画像データと通話中を示す第２画像データとを含み、前記判定手段は、着信又は通話開始又は通話終了のいずれがあったかを判定し、前記制御手段は、着信があったと判定されたとき、前記カメラでの撮像を中断させ、前記画像データに替えて第１画像データを、通話開始と判定されたとき、前記第１画像データに替えて第２画像データを、通話終了と判定されたとき、前記カメラでの撮像を再開させ、第２画像データに替えて画像データをそれぞれ送信手段に送信させることとしている。
【０００８】
このような構成によって、携帯電話機に接続されたコンピュータには、着信があったときには、カメラで撮像された画像に替えて着信を示す第１画像が表示され、通話が開始されると通話中を示す第２画像が表示され、通話が終了すると再度カメラで撮像された画像が表示されるので、携帯電話機の利用状態が把握される。
また、前記所定の送信レートは、前記コンピュータから通知されることとしている。
【０００９】
このような構成によって、コンピュータの画面に撮像された画像を途切れることなく表示することができる。
また、前記コンピュータは、前記携帯電話機から受信した画像データ、第１画像データ及び第２画像データを他のコンピュータにネットワークを介して送信し、他のコンピュータは、受信した画像データ、第１画像データ及び第２画像データを復号して表示することとしている。
【００１０】
このような構成によって、ネットワークを介して他のコンピュータに撮像した画像や携帯電話機の利用状況を表示させることができる。
また、前記第１画像データと第２画像データとは圧縮され、そのデータ量は、通信機能を損なわない程少ないこととしている。
このような構成によって、携帯電話機での通話を確保しながら、接続されたＰＣや他のＰＣにも携帯電話機の利用状態を知らせ、カメラでの撮像が中断していることを知らせることができる。
【００１１】
また、前記第１画像データには、着信中であるとのメッセージを含み、前記第２画像データには、通話中であるとのメッセージを含むこととしている。
このような構成によって、接続されたコンピュータに着信中である旨、通話中である旨を明確に示すことができる。
また、前記第１画像データ及び第２画像データは、それぞれ複数の第１画像データ及び第２画像データを含み、携帯電話機の利用者によってそれぞれ一つの第１画像データ及び第２画像データが選択されることとしている。
【００１２】
このような構成によって、予め用意された着信中や通話中の画像を利用者が選択することが可能となる。
【発明を実施するための最良の形態】
【００１３】
以下、本発明に係る携帯電話機の実施の形態について、図面を用いて説明する。
（一実施の形態）
図１は、本発明に係る携帯電話機の一実施の形態の構成図である。
この携帯電話機１００は、記憶部１０１と、カメラ部１０２と、ＪＰＥＧ圧縮部１０３と、画像データ記憶部１０４と、操作部１０５と、アンテナ１０６と、無線部１０７と、ベースバンド信号処理部１０８と、スピーカ１０９と、マイク１１０と、表示部１１１と、制御部１１２と、携帯電話側ＵＳＢ  Ｉ／Ｆ１１３とを備えている。
【００１４】
携帯電話側ＵＳＢ  Ｉ／Ｆ１１３は、ホストＰＣ１２０のＰＣ側ＵＳＢ  Ｉ／Ｆ１２１と接続されている。ホストＰＣ１２０は、ネットワーク１３０を介して他のＰＣ１４０と接続されている。
記憶部１０１は、例えば、半導体フラッシュメモリからなり、携帯電話機１００の利用状況を示す複数の代替画像である第１画像データ及び第２画像データを予め記憶している。
【００１５】
第１画像データは、この携帯電話機１００に着信があった旨を示す画像をＪＰＥＧ規格によって圧縮符号化したものである。
図２（ａ）〜（ｃ）は、この第１画像データを伸長復号した画像の一例を示している。
図２（ａ）では、画面全体をブルーバック画面とすることで携帯電話機に着信があったことを示している。図２（ｂ）では、「着信しました」のメッセージを示している。図２（ｃ）では、携帯電話機のアンテナに電波が届いている様子を模式化したアイコンにより、着信があった旨を示している。
【００１６】
第２画像データは、この携帯電話機１００が通話中である旨を示す画像をＪＰＥＧ規格によって圧縮符号化したものである。
図３（ａ）〜（ｃ）は、この第２画像データを伸長復号した画像の一例を示している。
図３（ａ）では、画面全体を黒色とすることで携帯電話機が通話中であることを示している。図３（ｂ）では、「通話中です」のメッセージを示している。図３（ｃ）では、携帯電話機のスピーカを利用者が耳にあて、通話中である様子を模式化したアイコンにより、通話中である旨を示している。
【００１７】
カメラ部１０２は、レンズとＣＣＤ（Ｃｈａｒｇｅ  Ｃｏｕｐｌｅｄ  Ｄｅｖｉｃｅ）センサー又はＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサーなどの受光素子とを有し、被写体を撮像し、撮像した画像データをＪＰＥＧ圧縮部１０３に入力する。なお、カメラ部１０２は、制御部１１２からホストＰＣ１２０への画像データの送信レートの通知を受け、フレーム単位で送信する画像データに応じて、被写体を撮像する。
【００１８】
ＪＰＥＧ圧縮部１０３は、カメラ部１０２から入力された画像データをＪＰＥＧ規格に従い、圧縮符号化した画像データとして制御部１１２を介して画像データ記憶部１０４に記憶させる。
画像データ記憶部１０４は、ＲＡＭ等の半導体メモリからなり、カメラ部１０２で撮像され、ＪＰＥＧ圧縮部１０３で圧縮符号化された画像データをフレーム単位で記憶している。
【００１９】
操作部１０５は、ダイヤルキーやオフフックキー、オンフックキー等からなり、各キーの操作信号を制御部１１２に通知する。
アンテナ１０６は、基地局（図示せず）からの通信信号を受信し、無線部１０７に通知し、無線部１０７から通知された通信信号を基地局に送信する。
無線部１０７は、アンテナ１０６から通知された通信信号を復調し、ベースバンド信号処理部１０８に通知し、ベースバンド信号処理部１０８から通知された通信信号を変調してアンテナ１０６に通知する。
【００２０】
ベースバンド信号処理部１０８は、無線部１０７から通知された信号が、着信信号であるとき制御部１１２に着信があった旨通知し、音声信号であるときスピーカ１０９に出力し、画像信号又はテキスト信号のとき制御部１１２に通知する。また、マイク１１０から通知された音声信号を処理して無線部１０７に通知し、制御部１１２を介して操作部１０５から通知された操作信号を処理して無線部１０７に通知する。
【００２１】
スピーカ１０９は、ベースバンド信号処理部１０８から通知された音声信号を音声として出力する。
マイク１１０は、利用者の音声を集音し、ベースバンド信号処理部１０８に音声信号として通知する。
表示部１１１は、液晶ディスプレイからなり、制御部１１２の制御によって、受信された情報や操作部１０５から操作された内容や、カメラ部１０２で撮像される被写体の画像を表示する。
【００２２】
制御部１１２は、ＣＰＵと作業用メモリとを有し、携帯電話機１００の各構成を制御する。
制御部１１２は、携帯電話側ＵＳＢ  Ｉ／Ｆ１１３とＰＣ側ＵＳＢ  Ｉ／Ｆ１２１とがＵＳＢケーブルで接続されたとき、ホストＰＣ１２０から画像データの所定の送信レートの通知を受ける。所定の送信レートは、例えば、７．５フレーム／ｓｅｃであり、この値を記憶するとともに、カメラ部１０２に対応する画像を撮像するよう送信レートを通知する。
【００２３】
また、制御部１１２は、ホストＰＣ１２０からＰＣ側ＵＳＢ  Ｉ／Ｆ１２１及び携帯電話側ＵＳＢ  Ｉ／Ｆ１１３を介して、カメラ始動の指示を受けると、カメラ部１０２に被写体の撮像の開始を指示する。同様に、撮像終了の指示を受けると、カメラ部１０２に撮像を終了するよう指示する。
制御部１１２は、ＪＰＥＧ圧縮部１０３から圧縮された画像データの通知を受けると、一旦画像データ記憶部１０４に記憶させ、所定の送信レートでフレーム単位で画像データを読み出し、携帯電話側ＵＳＢ  Ｉ／Ｆ１１３、ＰＣ側ＵＳＢ  Ｉ／Ｆ１２１を介してホストＰＣ１２０に画像データを送信する。
【００２４】
また、制御部１１２は、画像データ記憶部１０４から画像データを読み出し、ホストＰＣ１２０に画像データを送信している際に、ベースバンド信号処理部１０８から着信があった旨の通知を受けると、画像データの送信を中断し、カメラ部１０２に撮像の中断を指示するとともに、記憶部１０１に記憶されている第１画像データの一つを読み出し、所定の送信レートでＵＳＢ  Ｉ／Ｆ１１３、１２１を介してホストＰＣ１２０に送信する。
【００２５】
制御部１１２は、第１画像データを送信している際、操作部１０５からオフフック信号の通知を受けると、第１画像データの送信を終了し、記憶部１０１から第２画像データの一つを読み出し、所定の送信レートでＵＳＢ  Ｉ／Ｆ１１３、１２１を介してホストＰＣ１２０に送信する。
制御部１１２は、第２画像データを送信している際、操作部１０５からオンフック信号の通知を受けると、第２画像データの送信を終了し、カメラ部１０２に撮像の再開を指示し、ＪＰＥＧ圧縮部１０３から通知された圧縮された画像データを画像データ記憶部１０４に記憶させるとともに、中断している画像データを読み出し、所定のレートでＵＳＢ  Ｉ／Ｆ１１３、１２１を介してホストＰＣ１２０に画像データを送信する。
【００２６】
なお、制御部１１２は、複数の第１画像データのうち、いずれの一つをホストＰＣ１２０に送信するかを操作部１０５から利用者の指定を受け付けるようにしてもよい。同様に、複数の第２画像データのうちいずれの一つをホストＰＣ１２０に送信するかの指定も受け付けるようにしても良い。この場合、記憶部１０１に記憶されている第１画像データ及び第２画像データを順次表示部１１１に表示させ、その選択を受け付けることで実現している。
【００２７】
携帯電話側ＵＳＢ  Ｉ／Ｆ１１３は、ホストＰＣ１２０が備えるＰＣ側ＵＳＢ  Ｉ／Ｆ１２１とＵＳＢケーブルで接続され、制御部１１２から出力される画像データ又は第１画像データ又は第２画像データをホストＰＣ１２０に送信し、ホストＰＣ１２０から出力される送信レートや、カメラ始動指示の情報を制御部１１２に通知する。
ホストＰＣ１２０は、ＵＳＢケーブルでＰＣ側ＵＳＢ  Ｉ／Ｆ１２１と携帯電話側ＵＳＢ  Ｉ／Ｆ１１３とが接続されると、ホストＰＣ１２０への画像データの送信レートを携帯電話機１００に送信する。また、ホストＰＣ１２０の操作部（図示せず）からカメラ１０２の撮像の開始指示を受けると、携帯電話機１００にＵＳＢ  Ｉ／Ｆ１２１等を介してカメラ始動を指示する。
【００２８】
ホストＰＣ１２０は、携帯電話機１００からＵＳＢ  Ｉ／Ｆ１２１等を介して、画像データ、第１画像データ又は第２画像データを受信すると、表示部にそれらの画像を表示するとともに、ネットワーク１３０を介して他のＰＣ１４０にそれらの画像データを転送する。
他のＰＣ１４０は、ホストＰＣ１２０から画像データ、第１画像データ又は第２画像データの転送をネットワーク１３０を介して受信すると、自身の表示部にそれらの画像を表示する。
【００２９】
図４は、携帯電話機１００のカメラを用いて被写体４０１を撮像し、ホストＰＣ１２０に撮像された画像データを送信し、ホストＰＣ１２０の表示部４０２にその画像４０３を表示させ、更にホストＰＣ１２０は、ネットワークサーバ（ネットワーク１３０）を介して他のＰＣ１４０に画像データを転送し、ＰＣ１４０の表示部４０４に画像４０３を表示させた状態を概念的に示した図である。
【００３０】
図４に示した状態で、携帯電話機１００に着信があり、利用者が通話を開始したときの状態を図５に概念的に示している。携帯電話機１００のカメラで被写体４０１を撮像することはできない。このような利用状況を示す第２画像５０１がホストＰＣ１２０の表示部４０２と他のＰＣ１４０の表示部４０４とに表示されている。
この結果、ホストＰＣ１２０や他のＰＣ１４０で第２画像５０１を看ている者にとって、現在、カメラが利用できる状況にないことを把握させることができる。
【００３１】
なお、携帯電話機１００の着信時や通話中に制御部１１２は、ＵＳＢ  Ｉ／Ｆ１１３を介してホストＰＣ１２０に第１画像データ又は第２画像データを所定レートで送信することになっているが、送信するデータ量は僅かであり、制御部１１２に負荷をかけるものではない。
また、上記実施の形態の構成図（図１）では、ベースバンド信号処理部１０８と制御部１１２とは別の構成要素としたけれども、１個のベースバンドチップとして実装されてもよい。
【００３２】
次に、本実施の形態の動作を図６に示すフローチャートを用いて説明する。
先ず、携帯電話機１００の制御部１１２は、ホストＰＣ１２０と、ＵＳＢケーブルで接続されるのを待ち（Ｓ６０２）、ホストＰＣ１２０から画像データの所定の送信レートの通知を受け、カメラ部１０２に通知するとともに自ら記憶する（Ｓ６０４）。制御部１１２は、ホストＰＣ１２０からカメラでの撮像開始の指示を待ち（Ｓ６０６）、カメラ部１０２に撮像を指示する。
【００３３】
カメラ部１０２は、撮像を開始し（Ｓ６０８）、ＪＰＥＧ圧縮部１０３は、カメラ部１０２で撮像された画像をＪＰＥＧ規格により圧縮された画像データに変換し、制御部１１２に通知する（Ｓ６１０）。
制御部１１２は、画像データを画像データ記憶部１０４にフレーム単位で記憶させる（Ｓ６１２）。
【００３４】
次に、制御部１１２はホストＰＣ１２０から撮像終了の指示が有るか否かを判定し(Ｓ６１４)、有れば、処理を終了し、なければ、画像データ記憶部１０４から画像データを読み出し、記憶している所定の送信レートでホストＰＣ１２０に画像データを送信する（Ｓ６１６）。
制御部１１２は、ベースバンド信号処理部１０８から着信がある旨の通知を受けるまでＳ６０８からＳ６１６を繰り返し（Ｓ６１８）、着信通知を受けると、カメラ部１０２に撮像の中止を指示する。
【００３５】
カメラ部１０２は撮像を中止する（Ｓ６２０）。
制御部１１２は、記憶部１０１から選択された第１画像データを読み出し、第１画像データを所定の送信レートでホストＰＣ１２０に送信する（Ｓ６２２）。
制御部１１２は、操作部１０５から通話開始のオフフック信号の通知を受けるまでＳ６２２の処理をし（Ｓ６２４）、オフフック信号を受けると、記憶部１０１から第１画像データに替えて選択された第２画像データを読み出し、所定のレートでホストＰＣ１２０に送信する（Ｓ６２６）。
【００３６】
制御部１１２は、操作部１０５から通話終了のオンフック信号の通知を受けると（Ｓ６２８）、第２画像データの送信を停止し、Ｓ６０８に戻る。オフフック信号の通知を受ける迄は、Ｓ６２６の処理を行う。
なお、上記実施の形態でカメラ部１０２が撮像を中断するのは、携帯電話機１００に着信があった場合について説明したけれども、例えば、撮像中にＰＣ１２０や他のＰＣ１４０で画像を見せたくない状況が出現したときにも、本実施の形態を応用することができる。
【００３７】
記憶部１０２に、例えば「取り込み中」のメッセージを示した画像データを記憶しておき、携帯電話機１００の操作部１０５の特定のキー、例えば「＃」ボタンの操作信号が制御部１１２に通知されたとき、カメラ部１０２の撮像を中断させ、画像データに替えて「取込み中」を示した代替画像データをホストＰＣ１２０に所定の送信レートで送信するようしてもよい。
【００３８】
また、上記実施の形態では、カメラを搭載した携帯電話機について説明したけれども、通信機能を有し、カメラを搭載した携帯端末であってもよいのは勿論である。
また、上記実施の形態の構成図を図１に示したけれども、各構成要素の機能をコンピュータに発揮させるプログラムで実現させてもよいのは勿論である
【産業上の利用可能性】
【００３９】
本発明に係る携帯電話機は、ネットワークで接続されたＰＣ間で画像データを転送する画像を撮像するカメラとして、手軽に利用される。
【図面の簡単な説明】
【００４０】
【図１】本発明に係る携帯電話機の一実施の形態の構成図である。
【図２】上記実施の形態の記憶部に記憶された第１画像データ例を示す図である。
【図３】上記実施の形態の記憶部に記憶された第２画像データ例を示す図である。
【図４】上記実施の形態の携帯電話機のカメラを利用したＰＣ間の画像転送の概念図である。
【図５】上記実施の形態の図４に示した状況で携帯電話機に着信があり、通話が開始されたときのＰＣ間の画像転送の概念図である。
【図６】上記実施の形態の動作を説明するフローチャートである。
【図７】従来のカメラを用いたＰＣ間の画像転送の概念図である。
【符号の説明】
【００４１】
１００  携帯電話機
１０１  記憶部
１０２  カメラ
１０３  ＪＰＥＧ圧縮部
１０４  画像データ記憶部
１０５  操作部
１０６  アンテナ
１０７  無線部
１０８  ベースバンド信号処理部
１０９  スピーカ
１１０  マイク
１１１  表示部
１１２  制御部
１１３  携帯電話側ＵＳＢ  Ｉ／Ｆ
１２０  ホストＰＣ
１２１  ＰＣ側ＵＳＢ  Ｉ／Ｆ
１３０  ネットワーク
１４０  ＰＣ
【図１】
2005328285.tif 000003
【図２】
2005328285.tif 000004
【図３】
2005328285.tif 000005
【図４】
2005328285.tif 000006
【図５】
2005328285.tif 000007
【図６】
2005328285.tif 000008
【図７】
2005328285.tif 000009